(57)【特許請求の範囲】
【請求項１】
底板と両側壁により横断面コ字状に形成された球移送樋をパチンコ機設置島内に移送方向に傾斜状に固定する構造であって、該球移送樋は底板の両側縁部から下降する垂下壁に内向リブが一体に成形され、パチンコ機設置島内に横断状に固設される横梁材に該横梁材の長手方向に沿う長孔を形成し、該長孔にネジ軸からなる支軸を貫挿し、板金を横断面Ｌ字状に折曲することにより水平基板部と垂直起立板部とからなる固定金具を形成し、該水平基板部に前記支軸を貫挿することで該固定金具を横梁材上にて水平面内で回転可能なるように連結すると共に、該垂直起立板部は該支軸を中心とする略左右対称形に形成し、該垂直起立板部の両端部に下方突状の端爪片を形成し、該固定金具を球移送樋の前記垂下壁間に配置し該固定金具を該球移送樋と直交する方向に回転することにより前記端爪片が前記内向リブの上面を押圧し係合状態となるようにしたことを特徴とするパチンコ球移送樋の固定構造。
【請求項２】
固定金具に水平基板部の下方まで垂下するストッパ部を垂直起立板部から延設し、該ストッパ部が横梁材の側面に当接することで該固定金具の回転可能範囲が制限されるようにした請求項１に記載のパチンコ球移送樋の固定構造。
【発明の詳細な説明】
【技術分野】
【０００１】
本発明は遊技場における各パチンコ機にパチンコ球を補給したりするためのパチンコ球移送樋をパチンコ機設置島内に固定する構造に関するものである。
【背景技術】
【０００２】
パチンコ機設置島は、周知のように、多数のパチンコ機が背中合わせに設けられたものであって、下記特許文献１に例示されたように、該パチンコ機設置島の一側に球磨揚送機が設けられ、該球磨揚送機によって揚送されたパチンコ球が各パチンコ機に自重で転がって供給されるように球移送樋が傾斜状に設けられている。
また下記特許文献２にはパチンコ機設置島内にて各パチンコ機にパチンコ球を移送するための球移送樋（球補給樋）の形状が開示されている。この特許文献２に示されたように、該球移送樋は従来からアルミニウム等の押出成形品であって、両側縁から垂下する両側壁に内向リブが一体に成形された等断面の形状に形成されたものであった。
【特許文献１】特開平９−１６８６６０号公報
【特許文献２】特開平８−１６４２６３号公報
【発明の開示】
【発明が解決しようとする課題】
【０００３】
ところで、パチンコ機設置島内に球移送樋を傾斜状に設けるに際しては、従来ではパチンコ機設置島内に適宜間隔で横断状に固設された複数の横梁材の上に該球移送樋を乗せてビス止めしていたが、非常に狭い場所でのビス止めを要するので作業し難い状況であった。またこのビス止めが不完全であると、横梁材と球移送樋との間に隙間ができ、球移送樋が横梁材から浮いた状態になることから、球移送樋の支持が不安定となり、パチンコ機へ安定した球の供給ができなくなり営業に支障を及ぼすおそれがあった。
【課題を解決するための手段】
【０００４】
請求項１に記載した発明は、底板と両側壁により横断面コ字状に形成された球移送樋をパチンコ機設置島内に移送方向に傾斜状に固定する構造であって、該球移送樋は底板の両側縁部から下降する垂下壁に内向リブが一体に成形され、パチンコ機設置島内に横断状に固設される横梁材に該横梁材の長手方向に沿う長孔を形成し、該長孔にネジ軸からなる支軸を貫挿し、板金を横断面Ｌ字状に折曲することにより水平基板部と垂直起立板部とからなる固定金具を形成し、該水平基板部に前記支軸を貫挿することで該固定金具を横梁材上にて水平面内で回転可能なるように連結すると共に、該垂直起立板部は該支軸を中心とする略左右対称形に形成し、該垂直起立板部の両端部に下方突状の端爪片を形成し、該固定金具を球移送樋の前記垂下壁間に配置し該固定金具を該球移送樋と直交する方向に回転することにより前記端爪片が前記内向リブの上面を押圧し係合状態となるようにしたことを特徴とする。
また、請求項２に記載した発明は、上記固定金具に水平基板部の下方まで垂下するストッパ部を垂直起立板部から延設し、該ストッパ部が横梁材の側面に当接することで該固定金具の回転可能範囲が制限されるようにしたことを特徴とする。
【発明の効果】
【０００５】
請求項１に記載した発明は、下方突状の端爪片を固定金具の垂直起立板部に形成したことにより、球移送樋を常にしっかりと固定することができ、球移送樋を固定する際の作業および固定後に必要に応じて着脱することも容易でありながらも、固定金具が球移送樋から予期せず離脱してしまうようなことが防がれる。
また、請求項２に記載した発明は、固定金具の回転可能範囲を制限することで、係合状態が離脱することをより確実に防止できる。
【発明を実施するための最良の形態】
【０００６】
次に本発明の実施形態を図面に従い説明する。図１はパチンコ機設置島の内面の概略を示す側面図、図２は該パチンコ機設置島の要部の横断面図、図３は該パチンコ機設置島の要部の横断面の斜視図である。このパチンコ機設置島１は、支持台２上に多数のパチンコ機３が背中合わせに配置されると共に、一側に球磨揚送機４が設けられ、該球磨揚送機の上端部に設けられた球タンク５から球移送樋６が移送方向に傾斜状に設けられ、該球タンク５に揚送されたパチンコ球が該球移送樋６を自重によって流下し各パチンコ機３に補給されるようにしている。なお、７は該パチンコ機設置島１の内底部に設けられたアウト球回収樋で、該回収樋によって各パチンコ機から回収されたパチンコ球が球磨揚送機４の作用によって球タンク５に揚送され、該パチンコ機設置島内を循環する。
【０００７】
上記球移送樋６は、アルミニウムの押出成形によって長手方向に等断面に成形されたもので、図５，図６にその横断面形状が拡大して示されるように、底板６ａと両側壁６ｂにより横断面コ字状に形成され、該底板６ａの両側縁部から下降する垂下壁６ｃに内向リブ６ｄが一体に成形されている。なお、内向リブ６ｄの下面にはさらに横断面Ｌ字状の底リブ６ｅが一体に成形されている。また、８は該球移送樋６上を流下するパチンコ球を示し、９は該パチンコ機設置島１を構成する島柱を示す。
【０００８】
また、１０は球移送樋６を島柱９に固定するための本発明に係る支持装置で、該支持装置１０はこれを図４に単独で示したように横梁材１１と固定金具１２とからなる。横梁材１１は板金を横断面Ｌ字状に折曲加工してなり、その両端部に止孔１１ａが開設されていると共に、上辺中央部に長手方向に沿う長孔１１ｂが形成され、該長孔１１ｂに下側から支軸（ネジ軸）１３を貫挿している。一方、固定金具１２は板金を横断面Ｌ字状に折曲することにより水平基板部１２ａと垂直起立板部１２ｂとを形成し、該水平基板部に開設したネジ孔に該支軸１３を螺合することにより、該固定金具１２を横梁材１１上にて該支軸１３を回転中心として回転可能なるように連結している。また、垂直起立板部１２ｂは該支軸１３を中心とした略左右対称形に形成され、両端部には下方突状の端爪片１２ｃが形成されている。なお、１２ｄは垂直起立板部１２ｂより水平基板部１２ａの下方まで垂下状に延設されたストッパ部で、該ストッパ部が横梁材１１の側面に当接することで該固定金具１２の横梁材１１上にての回転可能範囲が制限されるようにしている。
【０００９】
上記球移送樋６をこの支持装置１０を使用してパチンコ機設置島１内に固定するに際しては、図５に示したように、横梁材１１上の球移送樋６を乗せて固定金具１２を該球移送樋６の前記垂下壁６ｃ間に配置し、その状態で図６に示したように、該固定金具を該球移送樋と直交する方向にストッパ部１２ｄが横梁材１１に当接する程度まで回転させる。これにより該固定金具の両端部の端爪片１２ｃが内向リブ６ｄの上面を押圧し係合状態になることから、該球移送樋６の下側に横梁材１１を直交状に固着することができる。なお、球移送樋６の長さに従い複数の支持装置１０を該球移送樋６に定間隔で予めこのように固着しておく。そして、該球移送樋６を図１に示したようにパチンコ機設置島１内に緩やかな傾斜状に配置し、該各支持装置１０の横梁材１１を図２に示したように前記止孔１１ａに止ネジ１４を通し、該止ネジ１４を島柱９に固植する。これにより該球移送樋６をパチンコ機設置島１内にパチンコ球が自重で転動可能な所期の傾斜角度をもって固定することができる。
【００１０】
こうして固定された球移送樋６は、固定金具１２が内向リブ６ｄに係合していることにより、横梁材１１の上面から離間することなくしっかりと固定される。このため、球移送樋６の底板６ａ上をパチンコ球が転動流下しても、該球移送樋６は妄動することなく、多数のパチンコ球の重荷重にも耐え得るようになる。しかも、横梁材１１と球移送樋６とは固定金具１２を該球移送樋６の下側にて回転させるだけで工具も要さず簡単に固定できるので、パチンコ機設置島１内の狭い場所での作業が容易になる。
【００１１】
またこの支持装置１０は、支軸１３を長孔１１ｂが形成された範囲内で横梁材１１の長手方向に適宜に移動させることができるので、固定金具１２を球移送樋６の配置位置に従い移動させることができ、図２に示したように、該球移送樋６を幅方向にずらして設ける要がある場合でも何ら支障なく使用することができる。また、ネジ軸からなる支軸１３は必要に応じドライバーで締め付けることにより固定金具１２が下方に引っ張られることから、端爪片１２ｃを内向リブ６ｄにさらに強力に圧着させることができる。
【００１２】
また、固定金具１２は、板金を横断面Ｌ字状に折曲して水平基板部１２ａと垂直起立板部１２ｂを形成したことにより、比較的薄手の板金を折曲加工して製作しても該垂直起立板部１２ｂの剛性が高くなり、そのために内向リブ６ｄに強力に圧着させることができ一層しっかりした固定が可能となる。そしてこのように板金を折曲加工することにより剛性のある固定金具を低コストで容易に製作することができる。また、垂直起立板部１２ｂの両端部に端爪片１２ｃを形成したことから、該端爪片１２ｃが内向リブの上面を一点に力集中させて押圧するようになり、このためさらに強い係合状態を保つことができる。
【００１３】
また、こうして球移送樋６をパチンコ機設置島１内に固定した後であっても、固定金具１２を反対方向に回転することにより該球移送樋６を簡単に取り外すことができる。このため球移送樋６を一時的に撤去しなければできないようなメンテナンス作業も容易に行えるようになる。
なお、本発明はこの実施形態に示した支持装置１０の形状に限定されることなく種々の設計変更が可能である。
【図面の簡単な説明】
【００１４】
【図１】本発明の実施形態であるパチンコ機設置島の内面の概略を示す側面図。
【図２】本発明の実施形態であるパチンコ機設置島の要部の横断面図。
【図３】本発明の実施形態であるパチンコ機設置島の要部の横断面の斜視図。
【図４】本発明の実施形態である支持装置の斜視図。
【図５】本発明の実施形態である支持装置の球移送樋への固定手順を示す斜視図。
【図６】本発明の実施形態である支持装置の球移送樋への固定時の斜視図。
【符号の説明】
【００１５】
１        パチンコ機設置島
３        パチンコ機
６        球移送樋
６ａ      底板
６ｂ      側壁
６ｃ      垂下壁
６ｄ      内向リブ
８        パチンコ球
９        島柱
１０      支持装置
１１      横梁材
１１ａ    止孔
１１ｂ    長孔
１２      固定金具
１２ａ    水平基板部
１２ｂ    垂直起立板部
１２ｃ    端爪片
１２ｄ    ストッパ部
１３      支軸
１４      止ネジ
【図１】
0004841932.tif 000002
【図２】
0004841932.tif 000003
【図３】
0004841932.tif 000004
【図４】
0004841932.tif 000005
【図５】
0004841932.tif 000006
【図６】
0004841932.tif 000007